(57)【要約】【課題】男子の小用時、小便が洗浄水面に衝突して周囲に飛散し難い便器装置を提供する。【解決手段】便器１のボウル部２上に上下に起倒自在に設けられた便座３と、ボウル部２への洗浄水の供給路４を開閉する洗浄弁５と、ボウル部２の底部の排水口６から連出されて先端の自由端部が上下回動可能に支持された筒状のトラップ部７とを備える。便座３がボウル部２上に倒された状態から起立させられたことを検知して、トラップ部７を振動させるように制御する制御部８を設ける。【選択図】        図１
2011231470.tif 000002
【特許請求の範囲】
【請求項１】
便器のボウル部上に上下に起倒自在に設けられた便座と、ボウル部への洗浄水の供給路を開閉する洗浄弁と、ボウル部の底部の排水口から連出されて先端の自由端部が上下回動可能に支持された筒状のトラップ部とを備え、便座がボウル部上に倒された状態から起立させられたことを検知して、トラップ部を振動させるように制御する制御部を設けたことを特徴とする便器装置。
【発明の詳細な説明】
【技術分野】
【０００１】
本発明は、便器装置に関するものである。
【背景技術】
【０００２】
従来より、ボウル部の底部の排水口から連出され、先端の自由端部が上下回動可能に支持された筒状のトラップ部を備えた所謂ターントラップ式の便器装置が知られている（例えば特許文献１参照）。
【０００３】
これは、トラップ部の先端が上を向く状態でボウル部内に洗浄水を溜め、用を足した後、トラップ部の先端が下を向くように回動駆動され、ボウル部内の洗浄水を排出するものである。
【先行技術文献】
【特許文献】
【０００４】
【特許文献１】特開２００４−３５３２０１号公報
【発明の概要】
【発明が解決しようとする課題】
【０００５】
ところで、男子が小用を足す際、便器のボウル部内に溜まっている洗浄水面より数十ｃｍ高い位置から小便が放出され、小便が洗浄水面に衝突して洗浄水とともに汚水となって周囲に飛散する。このため、汚水が便器のリム部の上面や周囲の壁面や床面に付着し、染みや悪臭の原因となったり、付着した汚水を除去する手間がかかったりするものであった。
【０００６】
本発明は上記従来の問題点に鑑みて発明したものであって、その目的とするところは、  男子の小用時、小便が洗浄水面に衝突しても周囲に飛散し難い便器装置を提供することを課題とするものである。
【課題を解決するための手段】
【０００７】
上記課題を解決するために、本発明の便器装置は、以下のような構成とする。
【０００８】
便器のボウル部上に上下に起倒自在に設けられた便座と、ボウル部への洗浄水の供給路を開閉する洗浄弁と、ボウル部の底部の排水口から連出されて先端の自由端部が上下回動可能に支持された筒状のトラップ部とを備え、便座がボウル部上に倒された状態から起立させられたことを検知して、トラップ部を振動させるように制御する制御部を設けたことを特徴とする。
【発明の効果】
【０００９】
本発明は、便座が起立された時、トラップ部が振動して洗浄水の水面が波打つため、小便が洗浄水面に衝突しても洗浄水とともに汚水となって周囲に飛散するのが防止される。
【図面の簡単な説明】
【００１０】
【図１】本発明の一実施形態を示し、（ａ）は便座が倒された状態の断面図であり、（ｂ）は便座が起立さされた状態の断面図である。
【図２】（ａ）（ｂ）（ｃ）はボウル部を洗浄する状態を説明する断面図である。
【図３】同上の実施形態における制御ブロック図である。
【発明を実施するための形態】
【００１１】
以下、本発明を添付図面に示す実施形態に基いて説明する。
【００１２】
便器１は、ボウル部２と、ボウル部２を洗浄水で洗浄するための便器洗浄手段と、を備えている。便器１の後部の内部には、ターントラップブロック１０が内装されており、便器１の後部のターントラップブロック１０が配設される部分の上方位置には、便器制御部ケース１８が設けられている。便器１には、ボウル部２に洗浄水が供給されるための洗浄水の供給路４が設けられており、この供給路４の一端が水道管等の水供給管（図示せず）に接続される。
【００１３】
ターントラップブロック１０のケース１１内には、変形性を有する材料で筒状に形成されたトラップ部７が設けられている。このトラップ部７の一端は、ボウル部２の底部の排水口６に接続されており、このトラップ部７の排水口６と反対側の自由端側の端部は上下に回動可能になっている。ターントラップブロック１０のケース１１には、回動アーム１２が回動自在に設けられている。回動駆動手段としての駆動モータ２４の回動軸１３が回動アーム１２の一端に連結されており、回動アーム１２の自由端である他端がトラップ部７の先端のリング１４に連結されている。そして駆動モータ２４の回動軸１３が回動駆動されると、トラップ部７が回動アーム１２およびリング１４を介して回動して、トラップ部７の自由端側の端部が上向きになったり、下向きになったりするようになっている。
【００１４】
また便器制御部ケース１８内には、上記供給路４が開閉されるための洗浄弁５が設けられていると共に、便器１の各種制御を行う制御部８が設けられている。ボウル部２の上端の周縁には、リム部１６が設けられており、このリム部１６には、複数の噴水穴（図示せず）が穿孔されている。洗浄弁５が開かれて供給路４に水が供給された時、リム部１６を介して噴水穴からボウル部２に洗浄水が噴出されるようになっている。ボウル部２の上には、便座３と便蓋１５とが設けられており、便座３および便蓋１５の前端が回動自在に連結され、便座３および便蓋１５が起倒自在になっている。この便座３は、便座電動駆動ブロック２５（図３参照）にて電動で駆動されるようになっていることが望ましい。
【００１５】
上記のような便器装置でボウル部２の洗浄を行う場合は次のように動作する。図２（ａ）はボウル部２の洗浄が開始される時の状態を示し、トラップ部７の先端が上を向くように回動しており、ボウル部２内に高い水位で洗浄水が保持されている。そして洗浄が開始された時には、洗浄弁５が開かれて供給路４から給水されてボウル部２に洗浄水が噴出される。そして図２（ｂ）に示すようにトラップ部７の先端が上を向いた状態からトラップ部７の先端が下を向くように回動駆動され、図２（ｃ）に示すようにトラップ部７の先端が下を向くように回動駆動され、トラップ部７からボウル部２内の水が一気に排水される。ボウル部２内の水が一気に排水された後、トラップ部７の先端が上に向くように回動駆動され、ボウル部２内が高い水位になるように洗浄水が保持され、次の使用に備えられる。上記のように洗浄されるのであるが、大便後に洗浄する場合は、大洗浄ボタン（図示せず）をオンすることにより洗浄弁５が開かれて洗浄水が供給される時間が長い。また小便後に洗浄する場合は、小洗浄ボタン（図示せず）をオンすることにより洗浄弁５が開かれて洗浄水が供給される時間が短い。
【００１６】
図３はその制御のブロック図である。便座３は起倒自在であるが、便座３が起立された時に便座上位置検知センサ２０で検知され、便座３が倒された時に便座下位置検知センサ２１で検知されるようになっている。便座上位置検知センサ２０は、例えば赤外線センサからなり、起立された便座３の上端部に対応する位置に設けられ、便座３が起立されて便座３の先端部が上方に位置した時にこれを検知して便座３の起立を検知するものでもよいし、別の方法にて便座３の起立を検知するものでもよく特に限定されない。便座下位置検知センサ２１も同様に、例えば赤外線センサからなり、起立された便座３の中間部に対応する位置に設けられ、便座３が倒されて便座３が検知されなくなった時に便座３が倒されたことを検知するものでもよいし、別の方法にて便座３が倒されたことを検知するものでもよく特に限定されない。また、便座電動駆動ブロック２５が便座３を駆動するための情報に基づいて、便座３が起立された状態および倒された状態を検知するものでもよい。
【００１７】
また人体検知手段９としての室内人体検知センサ９ａにて、トイレルーム内の人体の有無が検知されようになっている。室内人体検知センサ９ａとしては、例えば赤外線センサが好適に用いられるが、特に限定されない。また排水トラップセンサ２２にてトラップ部５の先端の高さ位置が検知されるようになっている。排水トラップセンサ２２としては、例えば赤外線センサが好適に用いられるが、特に限定されない。これらの便座上位置検知センサ２０、便座下位置検知センサ２１、室内人体検知センサ９ａ、排水トラップセンサ２２の検知情報が制御部８に入力され、制御部８にて便座電動駆動ブロック２５の駆動、給水弁５の開閉、トラップ部７の駆動モータ２４の駆動のオンオフの制御が行われる。
【００１８】
便座３が起立されると、便座上位置検知センサ２０で便座３が起立して上位置に位置したことが検知される。これにより制御部８にて駆動モータ２４が駆動されてトラップ部７の先端が上下動するように振動させる。また、小便モードスイッチ（図示せず）が設けられて制御部８に接続され、小便モードスイッチがオンにされた時に、トラップ部７の先端が上下動するように振動させてもよい。また、便座電動駆動ブロック２５が便座３を駆動するための情報に基づいて、便座３が起立された状態を検知した時に、トラップ部７の先端が上下動するように振動させてもよい。また、使用者が手動で便座３を起立させた際に、便座電動駆動ブロック２５において便座３が起立された状態を検知すると共に、便器１の前方に立つ人を検知する人体検知センサ（図示せず）が便器１の前方に立つ人を検知した時に、トラップ部７の先端が上下動するように振動させてもよい。
【００１９】
トラップ部７の先端が上下動すると、ボウル部２内の洗浄水面が波打つ状態となり、小便が洗浄水面に衝突しても飛沫が波打つ洗浄水に取り込まれて周囲に飛散するのが抑制される。これにより、汚水が飛散して便器１のリム部１６の上面や周囲の壁面や床面に付着し、染みや悪臭の原因となるのを抑制することができると共に、付着した汚水を除去する手間もかからないものである。
【符号の説明】
【００２０】
１  便器 
２  ボウル部
３  便座
４  供給路 
５  洗浄弁
６  排水口
７  トラップ部
８  制御部
【図１】
2011231470.tif 000003
【図２】
2011231470.tif 000004
【図３】
2011231470.tif 000005